(57)【要約】      （修正有）【課題】組み立てが比較的容易であり、かつ箱体の箱潰れを十分に抑制することができる箱用シートを提供する。【解決手段】箱用シートは、左右方向の一方側から他方側に連接され、組立時に四角筒状部を構成する第１長さ面パネル１、第１幅面パネル２、第２長さ面パネル３及び第２幅面パネル４と、一方の長さ面パネル３の上縁から延出するフランジ５と、フランジ５の先端縁から延出する折り返し片６と、折り返し片６の先端縁から延出する補強パネル７と、第１幅面パネル２及び第２幅面パネル４の上縁から延出し、組立時にフランジ５の上側に重ねられる一対の幅面フラップ８、９と、他方の長さ面パネル１の上縁から延出し、組立時に一対の幅面フラップ８、９の上側に重ねられる蓋形成用フラップ１０とを備え、蓋形成用フラップ１０が、組立時にフランジ５の内面側に差し込まれる差込片１６を有する。【選択図】図１
0003213567.tif 000002
【実用新案登録請求の範囲】
【請求項１】
箱型に組立可能な箱用シートであって、
左右方向の一方側から他方側に連接され、組立時に四角筒状部を構成する第１長さ面パネル、第１幅面パネル、第２長さ面パネル及び第２幅面パネルと、
一方の上記長さ面パネルの上縁から延出するフランジと、
上記フランジの先端縁から延出し、組立時に上記フランジの内面側に折り返される折り返し片と、
上記折り返し片の先端縁から延出し、組立時に上記一方の長さ面パネルの内面側に重ねられる補強パネルと、
上記第１幅面パネル及び第２幅面パネルの上縁から延出し、組立時に上記フランジの上側に重ねられる一対の幅面フラップと、
他方の上記長さ面パネルの上縁から延出し、組立時に上記一対の幅面フラップの上側に重ねられる蓋形成用フラップと
を備え、
上記蓋形成用フラップが、組立時に上記フランジの内面側に差し込まれる差込片を有する箱用シート。
【請求項２】
上記一対の幅面フラップが、上記一方の長さ面パネル側の先端部に切欠きを有し、
上記一対の幅面フラップの幅方向における上記切欠きの深さが上記フランジの延出方向長さより大きく、
上記差込片が、上記フランジと、上記切欠きのエッジとの間に嵌合する請求項１に記載の箱用シート。
【請求項３】
上記エッジが上記一対の幅面フラップの延出方向に延びる直線部を有し、
上記直線部における切欠き深さと上記フランジの延出方向長さとの差が１ｃｍ以上５ｃｍ以下である請求項２に記載の箱用シート。
【請求項４】
上記差込片が、上記蓋形成用フラップの先端縁から基端側に延びる一対の切込みによって画定される請求項１、請求項２又は請求項３に記載の箱用シート。
【請求項５】
上記蓋形成用フラップの基端から上記差込片の先端までの延出方向長さが上記第１幅面パネル及び第２幅面パネルの左右方向長さと略等しい請求項１から請求項４のいずれか１項に記載の箱用シート。
【考案の詳細な説明】
【技術分野】
【０００１】
本考案は、箱用シートに関する。
【背景技術】
【０００２】
段ボールシート等を組み立ててなる箱体が物品の保管、運搬等に広く用いられている。また今日では、この箱体の箱潰れを抑制するために補強部材が用いられることがある。このような補強部材を備える梱包容器として、例えばコーナー補強用底パットを備える梱包容器が発案されている（特開２００８−１３９６号公報参照）。
【先行技術文献】
【特許文献】
【０００３】
【特許文献１】特開２００８−１３９６号公報
【考案の概要】
【考案が解決しようとする課題】
【０００４】
上記公報に記載の梱包容器は、矩形状又は八角形状の本体と、この本体の対向する２辺から延出する一対の内側板とを有する底パットを備える。この梱包容器は、上記一対の内側板を本体から直角に立ち上げたうえ、この底パットを箱体内に収容することで箱体の座屈強度を高めることができる。
【０００５】
しかしながら、上記公報に記載の梱包容器は、底パットと箱体に組み立てられる箱用シートとが別部材であるため、組立作業が煩雑である。また、上記公報に記載の梱包容器は、底パットの一対の内側板が本体から上方に立ち上げられているため、これらの内側板の安定性が悪く、物品運搬時の揺れ等に起因してこれら一対の内側板が本体との連接部を起点として傾きやすい。その結果、この梱包容器は、箱体の箱潰れを十分に抑えられないおそれがある。
【０００６】
本考案は、このような不都合に鑑みてなされたものであり、組み立てが比較的容易であり、かつ箱体の箱潰れを十分に抑制することができる箱用シートの提供を課題とする。
【課題を解決するための手段】
【０００７】
上記課題を解決するためになされた本考案に係る箱用シートは、箱型に組立可能な箱用シートであって、左右方向の一方側から他方側に連接され、組立時に四角筒状部を構成する第１長さ面パネル、第１幅面パネル、第２長さ面パネル及び第２幅面パネルと、一方の上記長さ面パネルの上縁から延出するフランジと、上記フランジの先端縁から延出し、組立時に上記フランジの内面側に折り返される折り返し片と、上記折り返し片の先端縁から延出し、組立時に上記一方の長さ面パネルの内面側に重ねられる補強パネルと、上記第１幅面パネル及び第２幅面パネルの上縁から延出し、組立時に上記フランジの上側に重ねられる一対の幅面フラップと、他方の上記長さ面パネルの上縁から延出し、組立時に上記一対の幅面フラップの上側に重ねられる蓋形成用フラップとを備え、上記蓋形成用フラップが、組立時に上記フランジの内面側に差し込まれる差込片を有する。
【０００８】
当該箱用シートは、組立状態でフランジに一対の幅面フラップが重ねられ、さらにこの一対の幅面フラップに蓋形成用フラップが重ねられるので、組立状態で上記蓋形成用フラップが水平方向に保たれやすい。そのため、蓋形成用フラップの差込片が上記フランジの内面側に差し込まれた状態で、上記フランジ及びこのフランジに連接される折り返し片も水平方向に安定的に保持されやすい。その結果、当該箱用シートは、蓋部の落ち込みに起因する箱潰れを抑制することができる。また、当該箱用シートは、上記折り返し片の先端縁から延出し、組立時に一方の長さ面パネルの内面側に重ねられる補強パネルを有しており、この補強パネルによって箱体の座屈強度を高めることができる。当該箱用シートは、組立状態で上記フランジ及び折り返し片が上記差込片及び一対の幅面フラップに上下方向から挟持されることで安定的に保持されるので、上記補強パネルの連接側の端縁が箱体内で固定されやすい。またこの補強パネルは反力によって上記一方の長さ面パネルの内面に密着しやすい。そのため、当該箱用シートは、組立状態で上記補強パネルがぐらつき難い。従って、当該箱用シートは、組み立てが比較的容易であると共に、箱体の箱潰れを十分に抑制することができる。
【０００９】
上記一対の幅面フラップが、上記一方の長さ面パネル側の先端部に切欠きを有し、上記一対の幅面フラップの幅方向における上記切欠きの深さが上記フランジの延出方向長さより大きく、上記差込片が、上記フランジと、上記切欠きのエッジとの間に嵌合するとよい。このように、上記一対の幅面フラップが、上記一方の長さ面パネル側の先端部に切欠きを有し、上記一対の幅面フラップの幅方向における上記切欠きの深さが上記フランジの延出方向長さより大きく、上記差込片が、上記フランジと、上記切欠きのエッジとの間に嵌合することによって、上記フランジ及び折り返し片を組立状態でより安定的に保持することができ、これにより箱体の箱潰れをさらに抑制することができる。
【００１０】
上記エッジが上記一対の幅面フラップの延出方向に延びる直線部を有することが好ましく、上記直線部における切欠き深さと上記フランジの延出方向長さとの差としては１ｃｍ以上５ｃｍ以下が好ましい。このように、上記エッジが上記一対の幅面パネルの延出方向に延びる直線部を有し、上記直線部における切欠き深さと上記フランジの延出方向長さとの差が上記範囲内であることによって、上記フランジ及び折り返し片の組立状態での安定性をさらに向上することができる。
【００１１】
上記差込片が、上記蓋形成用フラップの先端縁から基端側に延びる一対の切込みによって画定されるとよい。このように、上記差込片が、上記蓋形成用フラップの先端縁から基端側に延びる一対の切込みによって画定されることによって、上記一対の切込みの幅方向の外側に設けられる一対の突片を一対の幅面フラップの上側に重ねることができる。これにより、上記蓋形成用フラップの延出方向先端側の落ち込みをより確実に抑制することができるので、上記フランジ及び折り返し片をより安定的に保持することができる。
【００１２】
上記蓋形成用フラップの基端から上記差込片の先端までの延出方向長さが上記第１幅面パネル及び第２幅面パネルの左右方向長さと略等しいとよい。このように、上記蓋形成用フラップの基端から上記差込片の先端までの延出方向長さが上記第１幅面パネル及び第２幅面パネルの左右方向長さと略等しいことで、上記差込片によって上記補強パネルを内面側を支持することができるので、箱体内における補強パネルの安定性を向上することができる。
【００１３】
なお、本考案において、「上」及び「下」とは、当該箱用シートを箱体に組み立てる際に最後に封止される面を上面とした場合の「上」及び「下」を意味し、「左右」とは、当該箱用シートを箱体に組み立てる際に最後に封止される面を上面とした場合の「左右」を意味するが、当該箱用シートの使用時の向きを制限することを企図するものではない。
【考案の効果】
【００１４】
以上説明したように、本考案に係る箱用シートは、組み立てが比較的容易であり、かつ箱体の箱潰れを十分に抑制することができる。
【図面の簡単な説明】
【００１５】
【図１】本考案の一実施形態に係る箱用シートを示す模式的平面図である。
【図２】図１の箱用シートから箱体を組み立てる手順を示す模式的斜視図である。
【図３】図１の箱用シートから箱体を組み立てる図２の次の手順を示す模式的平面図である。
【図４】図１の箱用シートを組み立ててなる箱体を示す模式的斜視図である。
【図５】図４の箱体のＡ−Ａ線模式的断面図である。
【考案を実施するための形態】
【００１６】
以下、適宜図面を参照しつつ、本考案の実施の形態を詳説する。
【００１７】
図１の箱用シートは箱型に組立可能である。当該箱用シートは１枚のシートからなる。当該箱用シートは、左右方向の一方側から他方側に連接され、組立時に四角筒状部を構成する第１長さ面パネル１、第１幅面パネル２、第２長さ面パネル３及び第２幅面パネル４と、第３長さ面パネル３の上縁から延出するフランジ５と、フランジ５の先端縁から延出し、組立時にフランジ５の内面側に折り返される折り返し片６と、折り返し片６の先端縁から延出し、組立時に第２長さ面パネル３の内面側に重ねられる補強パネル７と、第１幅面パネル２及び第２幅面パネル４の上縁から延出し、組立時にフランジ５の上側に重ねられる一対の幅面フラップ（第１幅面フラップ８及び第２幅面フラップ９）と、第１長さ面パネル１の上縁から延出し、組立時に一対の幅面フラップ８，９の上側に重ねられる蓋形成用フラップ１０とを備える。また、当該箱用シートは、第１長さ面パネル１の下縁から延出する第１下側フラップ１１と、第１幅面パネル２の下縁から延出する第２下側フラップ１２と、第２長さ面パネル３の下縁から延出する第３下側フラップ１３と、第２幅面パネル４の下縁から延出する第４下側フラップ１４と、第１長さ面パネル１の第１幅面パネル２と連接される側と反対側の側縁に連接される糊代部１５とを備える。当該箱用シートは、蓋形成用フラップ１０が、組立時にフランジ５の内面側に差し込まれる差込片１６を有する。なお、図１において、太い実線はシートを切断して形成されるエッジを示し、細い実線はシートに筋押しして形成される罫線を示す。
【００１８】
当該箱用シートに用いられるシートとしては、当該箱用シートを組み立ててなる箱体の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。なお、当該箱用シートに用いられるシートの平均厚さは、必要に応じて適宜設定可能であり、例えば１．５ｍｍ以上８ｍｍ以下とすることができ、上記シートが両面段ボールシートである場合、このシートの平均厚さは、例えば５ｍｍとすることができる。また、当該箱用シートが段ボールシートから形成される場合、この段ボールシートの中芯の稜線方向としては、罫線の折り曲げを正確にできる点から上下方向が好ましい。
【００１９】
（組立手順）
当該箱用シートを箱体に組み立てる手順について説明する。まず、第１長さ面パネル１を第１幅面パネル２の内面に折り重ね、続いて第２幅面パネル４を第２長さ面パネル３の内面に折り重ね糊代部１５を第２幅面パネル４の内面に貼着することで、第１長さ面パネル１、第１幅面パネル２、第２長さ面パネル３及び第２幅面パネル４を無端状に接続する。第１長さ面パネル１、第１幅面パネル２、第２長さ面パネル３及び第２幅面パネル４は、この無端状に接続された状態で、第１長さ面パネル１及び第２長さ面パネル３が対向し、第１幅面パネル２及び第２幅面パネル４が対向するように広げられることで四角筒状部を構成する。なお、第２幅面パネル４への糊代部１５の貼着は、例えば接着剤、ステープラー等を用いて行うことができる。当該箱用シートは、通常第１長さ面パネル１の内面が第１幅面パネル２の内面に密着し、第２幅面パネル４の内面が第２長さ面パネル３の内面に密着した無端状態でユーザに提供される。
【００２０】
次に、上記四角筒状部が形成された状態で、第１下側フラップ１１を内側に直角に折り曲げたうえ、第２下側フラップ１２及び第４下側フラップ１４を内側に直角に折り曲げ、さらに第３下側フラップ１３を内側に直角に折り曲げることで底部を形成する。この底部は、下側フラップ１１〜１４の重なり合いが保持されるよう封函テープ等で固定されることが好ましい。
【００２１】
続いて、折り返し片６をフランジ５の内側に折り返し、折り返し片６がフランジ５の内面に重ねられ、かつ補強パネル７が第２長さ面パネル３の内面に重ねられた状態で、図２に示すように、第２長さ面パネル３とフランジ５との境界線でフランジ５及び折り返し片６を内側に直角に折り曲げる。
【００２２】
そして、図３に示すように、一対の幅面フラップ８，９をフランジ５の上面に重なるよう内側に直角に折り曲げる。さらに、差込片１６をフランジ５の内側に差し込む。これにより、図４の箱体３０が組み立てられる。
【００２３】
（長さ面パネル及び幅面パネル）
第１長さ面パネル１、第１幅面パネル２、第２長さ面パネル３及び第２幅面パネル４は各々略方形状に形成されている。第１長さ面パネル１及び第２長さ面パネル３は略同形状に形成されている。また、第１幅面パネル２及び第２幅面パネル４は略同形状に形成されている。第１長さ面パネル１、第１幅面パネル２、第２長さ面パネル３及び第２幅面パネル４の上下方向長さは等しい。また、第１長さ面パネル１及び第２長さ面パネル３の左右方向長さは、第１幅面パネル２及び第２幅面パネル４の左右方向長さよりも大きい。さらに、第１長さ面パネル１及び第２長さ面パネル３の左右方向長さは、第１長さ面パネル１、第１幅面パネル２、第２長さ面パネル３及び第２幅面パネル４の上下方向長さよりも大きい。第１長さ面パネル１及び第２長さ面パネル３の左右方向長さとしては、例えば３０ｃｍ以上１２０ｃｍ以下とすることができる。第１幅面パネル２及び第２幅面パネル４の左右方向長さとしては、例えば１０ｃｍ以上６０ｃｍ以下とすることができる。第１長さ面パネル１、第１幅面パネル２、第２長さ面パネル３及び第２幅面パネル４の上下方向長さとしては、例えば１０ｃｍ以上５０ｃｍ以下とすることができる。
【００２４】
第１長さ面パネル１の第１幅面パネル２側の端部、及び第２長さ面パネル３の第１幅面パネル２側の端部には手掛け穴１ａ，３ａが形成されている。当該箱用シートは、箱体３０に組み立てられた状態で、４つの下側フラップ１１〜１４を折り曲げて形成される底部を設置面用いることができるが、それ以外に例えば第２幅面パネル４を設置面に用いてもよい。当該箱用シートは、第１長さ面パネル１の第１幅面パネル２側の端部、及び第２長さ面パネル３の第１幅面パネル２側の端部には手掛け穴１ａ，３ａが形成されているので、第２幅面パネル４を設置面に用いた場合の取扱性が高められている。また、当該箱用シートは、第１長さ面パネル１、第１幅面パネル２、第２長さ面パネル３及び第２幅面パネル４の上下方向に中芯の稜線が延びているので、第２幅面パネル４を設置面に用いた場合、座屈強度が低くなりやすい。しかしながら、当該箱用シートは、箱体３０に組み立てられた状態で第２長さ面パネル３の内面側に補強パネル７が配設されるので、第２幅面パネル４を設置面に用いた場合でも座屈強度を高めることができる。
【００２５】
（フランジ）
フランジ５は幅方向を長手方向とする矩形状である。フランジ５は第２長さ面パネル３の先端縁の全領域から上方に延出している。フランジ５は、組立状態で上記四角筒状部の上部開口の一部を封止する。第１幅面パネル２及び第２幅面パネル４の左右方向長さに対するフランジ５の延出方向長さの比の下限としては、０．１０が好ましく、０．１５がより好ましい。一方、上記比の上限としては、０．３０が好ましく、０．２５がより好ましい。上記比が上記下限に満たないと、組立時に蓋形成用フラップ１０の差込片１６によってフランジ５を下方から適切に支持することができないおそれがある。逆に、上記比が上記上限を超えると、上記四角筒状部の上部開口から物品を箱体３０内に収容し難くなるおそれがある。
【００２６】
（折り返し片）
折り返し片６は幅方向を長手方向とする矩形状である。折り返し片６はフランジ５の先端縁の全領域から延出している。フランジ５及び折り返し片６の境界には山折り線１７が形成されている。折り返し片６は、組立時にフランジ５の下面に当接するよう山折り線１７で折り返される。そのため、折り返し片６の形状はフランジ５の形状と略等しい。なお、「山折り線」とは組立状態で外側に凸に折り曲げられる折り曲げ容易線をいう。
【００２７】
（補強パネル）
補強パネル７は幅方向を長手方向とする矩形状である。補強パネル７は折り返し片６の先端縁の全領域から延出している。折り返し片６及び補強パネル７の境界には谷折り線１８が形成されている。補強パネル７は、組立時に第２長さ面パネル３の内面に当接するように谷折り線１８で折り曲げられる。補強パネル７の延出方向長さは、第２長さ面パネル３の内面の全領域を覆うことができるよう第２長さ面パネル３の上下方向長さと略等しい。なお、補強パネル７には、組立状態で第２長さ面パネル３の手掛け穴３ａと重なる部分には手掛け穴７ａが形成されている。
【００２８】
（幅面フラップ）
一対の幅面フラップ８，９は、一対の幅面パネル２，４の上縁の全領域から延出している。一対の幅面フラップ８，９は、フランジ５が延出する長さ面パネル（第２長さ面パネル３）側の先端部に切欠き１９，２０を有する。一対の幅面フラップ８，９の幅方向における切欠き１９，２０の深さはフランジ５の延出方向長さよりも大きい。これにより、当該箱用シートは、図３に示すように、組立状態でフランジ５と切欠き１９，２０のエッジとの間に空隙Ｘが形成される。当該箱用シートは、組立状態で差込片１６がフランジ５と切欠き１９，２０のエッジとの間の空隙Ｘに嵌合する。当該箱用シートは、このように差込片１６が空隙Ｘに嵌合することで、組立状態で差込片１６によってフランジ５及び折り返し片６をより安定的に支持することができる。これにより、組立状態におけるフランジ５及び折り返し片６の突出方向先端側の落ち込みを抑制することができ、蓋部を水平に保ちやすい。
【００２９】
切欠き１９，２０によって画定される一対の幅面フラップ８，９のエッジは一対の幅面フラップ８，９の延出方向に延びる第１直線部８ａ，９ａを有する。第１直線部８ａ，９ａは、一対の幅面フラップ８，９の延出方向先端縁から基端側に延びている。また、上記エッジは、第１直線部８ａ，９ａの基端から一対の幅面フラップ８，９の幅方向外側に延びる第２直線部８ｂ，９ｂを有する。これにより、上記エッジは全体として、略Ｌ字状に形成されている。また、一対の幅面フラップ８，９は、第２直線部８ｂ，９ｂの外側端部から一対の幅面フラップ８，９の基端側に向けて幅方向外側に傾斜した傾斜部８ｃ，９ｃを有する。なお、第１直線部８ａ，９ａ及び第２直線部８ｂ，９ｂは、完全な直線状である必要はなく、例えば一方又は他方の端部が面取り状に湾曲していてもよい。
【００３０】
図３に示すように、第１直線部８ａ，９ａにおける切欠き深さとフランジ５の延出方向長さとの差ｄの下限としては、１ｃｍが好ましく、２ｃｍがより好ましい。一方、上記差ｄの上限としては、５ｃｍが好ましく、４ｃｍがより好ましい。上記差ｄが上記下限より小さいと、差込片１６を空隙Ｘに嵌合する作業効率が低下するおそれがある。逆に、上記差ｄが上記上限を超えると、差込片１６が嵌合状態で十分安定的に保持され難くなり、その結果組立状態でのフランジ５及び折り返し片６の安定性が低下するおそれがある。
【００３１】
上記差ｄに対する第１直線部８ａ，９ａの長さｌの比（ｌ／ｄ）の下限としては、２が好ましく、３がより好ましい。一方、上記比（ｌ／ｄ）の上限としては、５が好ましく、４がより好ましい。上記比（ｌ／ｄ）が上記下限に満たないと、嵌合状態で差込片１６がぐらつきやすくなり、その結果組立状態でのフランジ５及び折り返し片６の安定性が低下するおそれがある。逆に、上記比（ｌ／ｄ）が上記上限を超えると、差込片１６を空隙Ｘに嵌合する作業効率が低下するおそれがある。
【００３２】
（蓋形成用フラップ）
蓋形成用フラップ１０は、第１長さ面パネル１の上縁の全領域から延出している。蓋形成用フラップ１０は概略長方形状である。蓋形成用フラップ１０には、幅方向に延びる２つの山折り線２１ａ，２１ｂが延出方向に所定の間隔で形成されている。これにより、当該箱用シートは、山折り線２１ａ，２１ｂを適度に山折りすることで、差込片１６をフランジ５の内面側に差し込みやすい。蓋形成用フラップ１０には、先端縁から基端側に延びる一対の切込み２２ａ，２２ｂが形成されている。一対の切込み２２ａ，２２ｂの基端側（蓋形成用フラップ１０の先端側）の端部は蓋形成用フラップ１０の先端側に向けて拡幅している。また、一対の切込み２２ａ，２２ｂの先端側（蓋形成用フラップの基端側）の端部は蓋形成用フラップ１０の幅方向中央側に僅かに湾曲している。これにより、組立状態でフランジ５及び折り返し片６の突出方向先端側の端縁と一対の切込み２２ａ，２２ｂの先端縁との係合状態が安定的に保持されやすい。一対の切込み２２ａ，２２ｂは、蓋形成用フラップ１０の幅方向中央を基準として対象に形成されている。一対の切込み２２ａ，２２ｂの長さはフランジ５の延出方向長さと略等しい。
【００３３】
差込片１６は、一対の切込み２２ａ，２２ｂによって画定されている。また、蓋形成用フラップ１０には、一対の切込み２２ａ，２２ｂの幅方向外側に一対の突片２３ａ，２３ｂが画定されている。これにより、当該箱用シートは、組立状態で一対の突片２３ａ，２３ｂを一対の幅面フラップ８，９の上側に重ねることができる。その結果、当該箱用シートは、蓋形成用フラップ１０の延出方向先端側の落ち込みを抑制することができるので、組立状態でフランジ５及び折り返し片６をより安定的に保持することができる。
【００３４】
蓋形成用フラップ１０の基端から差込片１６の先端までの延出方向長さは第１幅面パネル２及び第２幅面パネル４の左右方向長さと略等しいことが好ましい。この構成によると、当該箱用シートは、組立状態で差込片１６によって補強パネル７の内面側を支持することができるので、箱体３０内における補強パネル７の第２長さ面パネル３からの浮き上がりを抑制することができ、補強パネル７の安定性を向上することができる。その結果、当該箱用シートは、箱体３０の座屈強度をより高めることができる。
【００３５】
＜利点＞
当該箱用シートは、組立状態でフランジ５に一対の幅面フラップ８，９が重ねられ、さらにこの一対の幅面フラップ８，９に蓋形成用フラップ１０が重ねられるので、組立状態で蓋形成用フラップ１０が水平方向に保たれやすい。そのため、蓋形成用フラップ１０の差込片１６がフランジ５の内面側に差し込まれた状態で、フランジ５及びこのフランジ５に連接される折り返し片６も水平方向に安定的に保持されやすい。その結果、当該箱用シートは、蓋部の落ち込みに起因する箱潰れを抑制することができる。また、当該箱用シートは、折り返し片６の先端縁から延出し、組立時に第２長さ面パネル３の内面側に重ねられる補強パネル７を有しており、この補強パネル７によって箱体３０の座屈強度を高めることができる。当該箱用シートは、組立状態でフランジ５及び折り返し片６が差込片１６及び一対の幅面フラップ８，９に上下方向から挟持されることで安定的に保持されるので、補強パネル７の連接側の端縁が箱体３０内で固定されやすい。またこの補強パネル７は反力によって第２長さ面パネル３の内面に密着しやすい。そのため、当該箱用シートは、組立状態で補強パネル７がぐらつき難い。従って、当該箱用シートは、組み立てが比較的容易であると共に、箱体３０の箱潰れを十分に抑制することができる。
【００３６】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３７】
例えば当該箱用シートは、上記フランジが第１長さ面パネルの上縁から延出し、上記蓋形成用フラップが第２長さ面パネルの上縁から延出してもよい。また、上記箱体の底部の構成は特に限定されるものではなく、必ずしも４つの下側フラップによって形成される必要はない。
【００３８】
上記一対の幅面フラップは、必ずしも上記フランジが延出する長さ面パネル側の先端部に切欠きを有しなくてもよい。この場合、当該箱用シートは、上記一対の幅面フラップ間の領域で上記差込片をフランジの内面側に差し込むことで箱体に組み立てることができる。また、上記一対の幅面フラップが上記切欠きを有する場合でも、この切欠きの具体的形状は上述の実施形態の形状に限定されるものではない。
【００３９】
上記差込片は、上記蓋形成用フラップの先端縁から基端側に延びる一対の切込みによって画定されなくてもよい。例えば上記蓋形成用フラップは、略矩形状の基部と、この基部の先端縁から突出する差込片とを有する構成であってもよい。
【産業上の利用可能性】
【００４０】
以上のように、本考案の箱用シートは、組み立てが比較的容易であり、かつ箱体の箱潰れを十分に抑制することができるので、物品の保管、運搬等に好適に用いられる。
【符号の説明】
【００４１】
１  第１長さ面パネル
１ａ，３ａ，７ａ  手掛け穴
２  第１幅面パネル
３  第２長さ面パネル
４  第２幅面パネル
５  フランジ
６  折り返し片
７  補強パネル
８  第１幅面フラップ
８ａ，９ａ  第１直線部
８ｂ，９ｂ  第２直線部
８ｃ，９ｃ  傾斜部
９  第２幅面フラップ
１０  蓋形成用フラップ
１１  第１下側フラップ
１２  第２下側フラップ
１３  第３下側フラップ
１４  第４下側フラップ
１５  糊代部
１６  差込片
１７  山折り線
１８  谷折り線
１９，２０  切欠き
２１ａ，２１ｂ  山折り線
２２ａ，２２ｂ  切込み
２３ａ，２３ｂ  突片
３０  箱体
Ｘ  空間
【図１】
0003213567.tif 000003
【図２】
0003213567.tif 000004
【図３】
0003213567.tif 000005
【図４】
0003213567.tif 000006
【図５】
0003213567.tif 000007